(57)【特許請求の範囲】
【請求項１】
エアの吹き出し口を構成するフレームに開設された軸穴への連通穴と、この連通穴を巡るように設けられて当該軸穴に回動可能に差し入れ組み付けられる差込部とを備え、前記吹き出し口内に傾動可能に配されるスイングプレートと、
吹き出されるエアの向きを可変可能に前記スイングプレートにそれぞれ回動可能に備えられるフラップ列と、
前記フレームにおける前記吹き出し口の外側に配される前記フラップ列及び前記スイングプレートの駆動ユニットとを備えるルーバ機構であって、
前記フラップ列は、前記スイングプレートの連通穴に回動可能に差し入れ組み付けられる脚部と当該脚部の内側において突き出す連結軸とを備えた主動フラップと、この主動フラップの回動に伴って当該主動フラップと同じ向きに回動されるようにリンク手段により連結された従動フラップとを備えており、
前記駆動ユニットは、
駆動手段によりスライド移動されるスライド体と、
このスライド体に設けられたラック部にかみ合って当該スライド体の移動に伴って回動されると共に、前記主動フラップの連結軸に連結される中心軸を備えた駆動ギアと、
当該駆動ギアの中心軸を中心に回動されるように当該中心軸が通されると共に、一端側に前記スイングプレートの差込部への接合部を備えた筒状体とを備えており、
前記スライド体には、当該スライド体の移動方向に交差する向きに延びる部分を備えたカム溝が設けてあると共に、前記筒状体の他端側に当該カム溝に案内されるピンが設けてあり、カム溝の前記部分によってスライド体の移動により筒状体を回動させてスイングプレートを傾動させるようにしていることを特徴とするルーバ機構。
【請求項２】
筒状体が少なくとも二つのピンを備えていると共に、スライド体が少なくとも二カ所のカム溝を有しており、
当該スライド体の一方側への移動により前記二カ所のカム溝の一方に前記二つのピンの一方が案内されると共に、当該スライド体の他方側への移動により前記二カ所のカム溝の他方に前記二つのピンの他方が案内される構成としてあることを特徴とする請求項１記載のルーバ機構。
【請求項３】
スライド体にその移動方向に沿った長穴が透設してあると共に、この長穴に駆動ギアの中心軸が納められており、
この長穴が幅広部分と幅狭部分とを有していると共に、スライド体のラック部が当該長穴の幅広部分が形成された箇所における当該スライド体の外面に設けてあり、
駆動ギアの中心軸における前記長穴に入り込んだ中間部が、対向する両面間の寸法を前記長穴の幅狭部分の両穴壁間の間隔とほぼ等しくした四角柱状に構成してあることを特徴とする請求項１又は請求項２記載のルーバ機構。
【請求項４】
吹き出し口の端側と中央側とにそれぞれ配される、それぞれフラップ列を備えた二つのスイングプレートを有していると共に、
スライド体の移動により、それぞれのスイングプレートに対応して設けられた駆動ギアと筒状体とを回動させる構成としてあることを特徴とする請求項１、請求項２又は請求項３記載のルーバ機構。
【発明の詳細な説明】
【０００１】
【発明の属する技術分野】
この発明は、各種の空調設備・装置におけるエアの吹き出し口に備え付けられるルーバ機構の改良に関する。
【０００２】
【従来の技術】
各種の空調設備、装置を構成するエアの吹き出し口に備えられるルーバにあっては、互いに板面を同じ向きに配する複数のフラップを有しており、典型的には、この複数のフラップを同じ向きに傾動させることにより前記吹き出し口から吹き出されるエアの向きを可変可能としている。
【０００３】
しかるに、単純に複数のフラップを前記のように吹き出し口に設けて構成されるルーバによっては、当該吹き出し口から吹き出されるエアを左右あるいは上下におおむね案内できるに留まるものであり、かかるエアを所望の方向に集中的に案内し難いものであった。
【０００４】
【発明が解決しようとする課題】
こうしたことから、本出願人は、複数の整流板を回動可能に組み付けた傾動プレートを当該整流板の所定回動位置において傾動可能としたルーバ機構を提案している。（特願平９−２８９２５４号参照）
【０００５】
しかるに、かかる本出願人提案のルーバ機構にあっては、前記傾動プレートの傾動をモータからの駆動力を伝達する伝達ギアにかみ合うギア体を傾動プレートに組み付けられたギアと所定の位置でかみ合わせることによりなさしめている関係で、この傾動プレートの動きにより広範なバリエーションを与え難いものであった。
【０００６】
そこでこの発明は、吹き出し口から吹き出されるエアを、所望の方向に集中的に案内可能とするルーバ機構において、機構の複雑化を招くことなく、当該エアの案内をなすフラップ列全体の傾動をなすスイングプレート（従来例における傾動プレート）の傾動を、広範なバリエーションを持つように設定可能とすることを主目的とする。
【０００７】
【課題を解決するための手段】
前記目的を達成するために、請求項１記載の発明にあっては、ルーバ機構が以下の（１）〜（６）の構成を備えたものとした。
（１）エアの吹き出し口を構成するフレームに開設された軸穴への連通穴と、この連通穴を巡るように設けられて当該軸穴に回動可能に差し入れ組み付けられる差込部とを備え、前記吹き出し口内に傾動可能に配されるスイングプレートと、
（２）吹き出されるエアの向きを可変可能に前記スイングプレートにそれぞれ回動可能に備えられるフラップ列と、
（３）前記フレームにおける前記吹き出し口の外側に配される前記フラップ列及び前記スイングプレートの駆動ユニットとを備えるルーバ機構であって、
（４）前記フラップ列は、前記スイングプレートの連通穴に回動可能に差し入れ組み付けられる脚部と当該脚部の内側において突き出す連結軸とを備えた主動フラップと、この主動フラップの回動に伴って当該主動フラップと同じ向きに回動されるようにリンク手段により連結された従動フラップとを備えており、
（５）前記駆動ユニットは、駆動手段によりスライド移動されるスライド体と、このスライド体に設けられたラック部にかみ合って当該スライド体の移動に伴って回動されると共に、前記主動フラップの連結軸に連結される中心軸を備えた駆動ギアと、当該駆動ギアの中心軸を中心に回動されるように当該中心軸が通されると共に、一端側に前記スイングプレートの差込部への接合部を備えた筒状体とを備えており、
（６）前記スライド体には、当該スライド体の移動方向に交差する向きに延びる部分を備えたカム溝が設けてあると共に、前記筒状体の他端側に当該カム溝に案内されるピンが設けてあり、カム溝の前記部分によってスライド体の移動により筒状体を回動させてスイングプレートを傾動させるようにしている。
【０００８】
かかる構成によれば、前記スライド体の移動により、前記スイングプレートを傾動させることなく、あるいはまた、当該スイングプレートを傾動させながら、フラップ列を構成する各フラップを回動させて吹き出されるエアを左右に案内することができる。
【０００９】
また、フラップ列を構成する各フラップが所定の位置に回動された状態から、前記スライド体の移動によりスイングプレートを傾動させて、回動されたフラップ列の各フラップにより吹き出されるエアを所望の方向に集中的に案内することができる。
【００１０】
特に、前記スライド体に設けるカム溝の長さ、形状を変更することにより、前記スイングプレートの傾動角度、動作を容易に調整することができ、吹き出されるエアの案内の仕方を異ならせるルーバを容易かつ適切に構成することができる。
【００１１】
また、請求項２記載の発明にあっては、請求項１記載のルーバ機構における筒状体が少なくとも二つのピンを備えていると共に、スライド体が少なくとも二カ所のカム溝を有しており、当該スライド体の一方側への移動により前記二カ所のカム溝の一方に前記二つのピンの一方が案内されると共に、当該スライド体の他方側への移動により前記二カ所のカム溝の他方に前記二つのピンの他方が案内される構成としてあるものとした。
【００１２】
かかる構成によれば、一つのピンを一つのカム溝に案内させて前記スイングプレートの傾動をさせた場合に比べ、スライド体の移動距離を最小限に留めて前記スイングプレートの傾動を行わしむることができる。
【００１３】
また、請求項３記載の発明にあっては、請求項１又は請求項２記載のルーバ機構におけるスライド体にその移動方向に沿った長穴が透設してあると共に、この長穴に駆動ギアの中心軸が納められており、この長穴が幅広部分と幅狭部分とを有していると共に、スライド体のラック部が当該長穴の幅広部分が形成された箇所における当該スライド体の外面に設けてあり、駆動ギアの中心軸における前記長穴に入り込んだ中間部が、対向する両面間の寸法を前記長穴の幅狭部分の両穴壁間の間隔とほぼ等しくした四角柱状に構成してあるものとした。
【００１４】
かかる構成によれば、かかる駆動ギアを、前記長穴の幅広部に中間部を位置させるスライド体の移動位置においては、当該スライド体の移動により正逆いずれかの方向に回動させることができる。また、前記長穴の幅狭部に中間部を位置させるスライド体の移動位置においては、当該中間部の対向した両側面を当該幅狭部の穴壁に摺接させることにより、前記筒状体の回動に伴って駆動ギアが連れ回りしないようにすることができる。この結果、例えば、スイングプレートが筒状体の回動により傾動される段階では、当該スイングプレートに備えられたフラップ列を構成する各フラップが回動されることなく、所定の角度各フラップを回動させたフラップ列が全体として傾動されるようにすることができる。
【００１５】
また、請求項４記載の発明にあっては、請求項１、請求項２又は請求項３記載のルーバ機構が、吹き出し口の端側と中央側とにそれぞれ配される、それぞれフラップ列を備えた二つのスイングプレートを有していると共に、スライド体の移動により、それぞれのスイングプレートに対応して設けられた駆動ギアと筒状体とを回動させる構成としてあるものとした。
【００１６】
かかる構成によれば、二つのスイングプレートの双方またはいずれか一方を傾動させることにより、省スペースで吹き出し口から吹き出されるエアを所望の方向に集中的に案内することができる。
【００１７】
【発明の実施の形態】
以下、図１ないし図１７に基づいて、この発明の典型的な実施の形態について説明する。
【００１８】
なお、ここで図１は、吹き出し口Ｄの一方側に組み付けられるルーバ機構と当該吹き出し口Ｄの構成の要部とを斜視の状態として示している。また、図２および図３は、かかるルーバ機構を構成する駆動ユニット３の要部部品を分離して斜視の状態として示している。また、図４は、かかるルーバ機構を構成するスイングプレート１とフラップ列２とを分離して斜視の状態として示している。また、図５は、吹き出し口Ｄに備え付けられた状態でスイングプレート１とフラップ列２を吹き出し口Ｄの長さ方向に沿って断面にして示しており、また、図６は、フラップ列２を構成する主動フラップ２０の組み付け部分を吹き出し口Ｄの幅方向に沿って断面にして示している。
【００１９】
また、図７は、この実施の形態にかかるルーバ機構によるフラップ列２およびスイングプレート１の動作を、各動作段階毎に表した構成図であり、図７（イ）の状態から同図（ロ）、同図（ハ）の順に一方向の動作が進行され、同図（ハ）、同図（ロ）、同図（イ）の順にこの方向の復帰動作が進行される。また、 図７（イ）の状態から同図（ニ）、同図（ホ）、同図（ヘ）の順に他方向の動作が進行され、同図（ヘ）、同図（ホ）、同図（ニ）、同図（イ）の順にこの方向の復帰動作が進行される。
【００２０】
また、図８ないし図１３は、図７の各動作を行わしむる駆動ユニット３におけるスライド体３０と筒状体および駆動ギアの動きを理解しやすいように、これらを平面視の状態で表した構成図であり、各図における上側の図（各図の（イ）図）ではスライド体３０と筒状体３２を、各図における下側の図（各図の（ロ）図）では中心軸３１ｃを筒状体３２に通させた駆動ギア３１とスライド体３０とを筒状体３２を省略して表している。図８は図７（イ）の動作位置、図９は図７（ニ）の動作位置、図１０は図７（ホ）の動作位置、図１１は、図７（ヘ）の動作位置、図１２は図７（ロ）の動作位置、さらに、図１３は、図７（ハ）の動作位置に対応した駆動ユニット３の要部を示したものである。
【００２１】
また、図１４ないし図１６は、スライド体３０をそれぞれ表しており、また、図１７は、図１ないし図１６に示される構成を備えたルーバ機構と対称の形状を備え、各部品を対称に配列させたルーバ機構を、吹き出し口Ｄの他方側に備えさせた状態を示している。
【００２２】
この実施の形態にかかるルーバ機構は、各種の空調設備・装置におけるエアの吹き出し口Ｄに備え付けられて、当該吹き出し口Ｄから吹き出されるエアの向きを可変させる用途で用いられるものである。
【００２３】
この実施の形態にあっては、かかるルーバ機構は、細長く構成された前記吹き出し口Ｄを形作るフレームＭにおける長さ方向に亙る向き合った側板Ｍａの一方に取り付けられるものとしてある。そして、かかるルーバ機構は、かかる吹き出し口Ｄ内に傾動可能に配されるスイングプレート１と、このスイングプレート１における前記側板Ｍａに向き合わない面に回動可能に組み付けられるフラップ列２と、前記側板Ｍａの外面側に組み付けられるかかるスイングプレート１及びフラップ列２の駆動ユニット３とを備えている。
【００２４】
（スイングプレート１）
スイングプレート１は、フラップ列２を構成する後述の主動フラップ２０および従動フラップ２１の回動組み付け穴１０をほぼ等間隔に透設された細長い板状に構成してある。
【００２５】
また、後述の主動フラップ２０の回動組み付け穴１０を前記フレームＭに開設された軸穴Ｍｂへの連通穴１０ａとしている。また、かかるスイングプレート１は、このスイングプレート１における前記側板Ｍａに向けられた側に、前記連通穴１０ａを巡るように周回状に突設された複数の突起１１ａ、１１ａ…よりなる前記軸穴Ｍｂに差し入れ組み付けられる差込部１１を備えている。かかる差込部１１を構成する複数の突起１１ａ、１１ａ…はその外面をほぼ同一の円の円弧に沿わせるように湾曲させており、前記軸穴Ｍｂに回動可能に差し入れられる構成としてある。
【００２６】
また、かかる差込部１１を構成する複数の突起１１ａ、１１ａ…のうち、等間隔を開けて設けられた四つの突起１１ａ、１１ａ…が先端に外向きの掛合爪１１ｃを備えた弾性突起１１ｂとしてあり、前記軸穴Ｍｂへの差込部１１の差し入れに伴って当該弾性突起１１ｂの弾発力により前記側板Ｍａの外側において前記掛合爪１１ｃが当該軸穴Ｍｂの穴縁に掛合した構成としてある。（図５）また、この実施の形態にあっては、かかる四つの弾性突起１１ａ、１１ａ…のうち対向位置にある二つの弾性突起１１ｂ、１１ｂの内面に、当該弾性突起１１ｂの突き出し方向に延びる後述の筒状体３２の接合部３２ｃに接合される接合リブ１１ｄが形成してある。
【００２７】
この実施の形態にあっては、ルーバ機構が独立した二つの前記スイングプレート１、１を備えている。二つのスイングプレート１、１の一方は主動フラップ２０と二枚の従動フラップ２１、２１とから構成されたフラップ列２を備えており、二つのスイングプレート１、１の他方は主動フラップ２０と四枚の従動フラップ２１、２１…を備えている。
【００２８】
（フラップ列２）
フラップ列２は、一つの主動フラップ２０と複数の従動フラップ２１とにより構成されている。
【００２９】
いずれのフラップ２０、２１もフランジ２２の一面側に板状のウイング２３を備えると共に、当該フランジ２２の他面側に前記スイングプレート１に設けた回動組み付け穴１０に回動可能に差し入れ組み付けられる一対の脚部２４、２４を備えている。この実施の形態にあっては、かかる脚部２４は弾性変形可能に構成してあり、また、先端に掛合爪２４ａを備えている。そして、前記回動組み付け穴１０への差し入れに伴ってかかる脚部２４の弾発力により前記スイングプレート１におけるこのスイングプレート１が組み付けられる前記フレームＭの側板Ｍａに向けられた側において前記掛合爪２４ａが当該回動組み付け穴１０の穴縁に掛合した構成としてある。
【００３０】
また、かかるフラップ列２を構成する主動フラップ２０に対し各従動フラップ２１はリンク手段２５により連結されており、主動フラップ２０の回動に伴って同じ向きに同じ回動角で従動フラップ２１が回動される構成としてある。
【００３１】
この実施の形態にあっては、かかるリンク手段２５をスイングプレート１とほぼ平行に配されると共に、各フラップ２０、２１における前記フランジ２２の前記ウイング２３の形成側に設けられた突部２６をそれぞれ回動可能にはめ入れた細長い板状体として構成している。
【００３２】
また、前記主動フラップ２０における一対の脚部２４、２４の間には、前記連通穴１０ａとなる回動組み付け穴１０を通じて前記吹き出し口Ｄを構成するフレームＭの軸穴から当該フレームＭの外側に突き出す長さの連結軸２７が突設されている。この連結軸２７の先端部には当該先端部を二つに区分する割溝２７ａが設けてあり、後述する駆動ユニット３における駆動ギア３１の中心軸３１ｃの先端をこの割溝２７ａ内に納めさせて当該連結軸２７と中心軸３１ｃとが連結されるようにしてある。
【００３３】
（駆動ユニット３）
駆動ユニット３は、駆動手段によって、この実施の形態にあっては吹き出し口Ｄの長さ方向にスライド移動されるスライド体３０と、このスライド体３０の移動により回動される前記主動フラップ２０の駆動ギア３１と、この駆動ギア３１の中心軸３１ｃが通されていると共に前記スライド体３０の移動により回動されてスイングプレート１を傾動させる筒状体３２とを備えている。
【００３４】
この実施の形態にあっては、前記スイングプレート１が二つ設けられていることから、前記駆動ギア３１と筒状体３２も二つづつ備えられている。
【００３５】
また、これらスライド体３０、駆動ギア３１、筒状体３２は、吹き出し口Ｄを構成するフレームＭへの組み付け側を開口させると共に蓋体３４に当該開口を閉塞されるケース３３に納められて全体としてかかる駆動ユニット３を構成している。
【００３６】
前記駆動ギア３１および筒状体３２は、前記ケース３３の上下方向に回転軸線を沿わせるように当該ケース３３に配されている。
【００３７】
（駆動ユニット３／スライド体３０）
スライド体３０は、この実施の形態にあっては、細長い板状に構成してある。そして、前記ケース３３における細長い収納部３３ａにスライド移動可能に納められている。かかるスライド体３０のケース３３底面に向けられた面（以下、スライド体３０の下面３０ａという。）には当該スライド体３０の移動方向に沿った溝３０ｃが形成してあると共に、前記ケース３３における細長い収納部３３ａの底面には当該細長い収納部３３ａの長さ方向に沿って当該スライド体３０の溝３０ｃに納まる案内リブ３３ｂが設けてあり、この案内リブ３３ｂによりスライド体３０の規則的なスライド移動が担保されている。
【００３８】
また、かかるスライド体３０は、その長さ方向にある一方の側端部の一部に駆動ラック部３０ｄを備えている。そして、前記ケース３３における細長い収納部３３ａに連通する側部収納部３３ｃに当該ケース３３の上下方向に回転軸を位置させるように配されると共に、上部に前記スライド体３０の駆動ラック部３０ｄにかみ合う歯部３５ａを有すると共に下部に駆動手段としてのモータ（図示は省略する。）の駆動力を伝達するギア（図示は省略する。）にかみ合う歯部３５ｂを備えた伝達ギア３５を通じて、かかるモータの駆動によりスライド体３０が移動される構成としてある。
【００３９】
また、かかるスライド体３０は、当該スライド体３０の移動方向に沿った長穴３０ｅを間隔を開けて二カ所に透設状態に備えている。そして、この実施の形態にあっては、かかる長穴３０ｅに後述する駆動ギア３１の中心軸３１ｃが納められた状態で当該スライド体３０が移動される構成としてある。
【００４０】
かかる二カ所の長穴３０ｅはそれぞれ、幅広部分３０ｆと幅狭部分３０ｇとを有している。また、かかるスライド体３０の下面３０ａであって、当該幅狭部分３０ｇの側方に後述の駆動ギア３１の歯部３１ｂにかみ合うラック部３０ｉが形成してある。
【００４１】
また、かかるスライド体３０の上面３０ｂには、当該スライド体３０の移動方向に交差する向きに延びる部分を備えたカム溝３０ｊが設けてある。
【００４２】
この実施の形態にあっては、前記二カ所の長穴３０ｅ、３０ｅの周囲にそれぞれ、一端を当該長穴３０ｅの幅広部分３０ｆに連通させる二つの主カム溝３０ｊ、３０ｊが設けてあると共に、当該二つの主カム溝３０ｊ、３０ｊの一方とほぼ平行をなすように延び、しかも、前記スライド体３０における駆動ラック部３０ｄが設けられている側端部において一端を外方に開放させた従カム溝３０ｊが設けてある。
【００４３】
二つの主カム溝３０ｊ、３０ｊの一方は前記長穴３０ｅの幅広部分３０ｆから前記スライド体３０の一方端側に向けて延びている。また、二つの主カム溝３０ｊ、３０ｊの他方は、二つの主カム溝３０ｊ、３０ｊの他方よりも長く前記長穴３０ｅの幅広部分３０ｆから前記スライド体３０の他方端側に向けて延びている。
【００４４】
また、この実施の形態にあっては、前記スライド体３０の他方端側にある長穴３０ｅの周囲にある二つの主カム溝３０ｊ、３０ｊにおける短い方の主カム溝３０ｊは当該スライド体３０の移動方向に沿って真っ直ぐ延びた構成としてある。前記従カム溝３０ｊは、前記長穴３０ｅを挟んで、二つの主カム溝３０ｊ、３０ｊのうちの長い方の主カム溝３０ｊとほぼ平行をなすように、つまり、かかる長い方の主カム溝３０ｊと同じ向きに同じように屈曲しながら延びている。この実施の形態にあっては、前記スライド体３０における駆動ラック部３０ｄが設けられた側に二カ所の張り出し部３０ｎ、３０ｎが形成されており、かかる従カム溝３０ｊの閉塞端側が当該張り出し部３０ｎに形成されている。
【００４５】
より具体的には、図８における左側の長穴３０ｅの周囲に形成されている長い方の主カム溝３０ｊは、当該長穴３０ｅの幅広部分３０ｆから当該長穴３０ｅに沿ってほぼ平行に延びた後、前記スライド体３０の駆動ラック部３０ｄが設けられた側と反対の側端部に向けて斜めに延び、これに続いて当該側端部近傍より前記駆動ラック部３０ｄが設けられた側に向けて斜めに延びるように設けられている。また、この図８における左側の長穴３０ｅの周囲に形成されている短い方の主カム溝３０ｊは、当該長穴３０ｅの幅広部分３０ｆから当該長穴３０ｅに沿ってほぼ平行に延びた後、前記スライド体３０の駆動ラック部３０ｄが設けられた側と反対の側端部に向けて斜めに延びるように設けられている。
【００４６】
一方、図８における右側の長穴３０ｅの周囲に形成されている長い方の主カム溝３０ｊは、当該長穴３０ｅの幅広部分３０ｆから当該長穴３０ｅに沿ってほぼ平行に延びた後、前記スライド体３０の駆動ラック部３０ｄが設けられた側と反対の側端部に向けて斜めに延び、これに続いて当該側端部近傍より前記駆動ラック部３０ｄが設けられた側に向けて斜めに延びるように設けられている。また、この図８における右側の長穴３０ｅの周囲に形成されている短い方の主カム溝３０ｊは、当該長穴３０ｅの幅広部分３０ｆから当該長穴３０ｅに沿ってほぼ平行に図８における左側に向けて真っ直ぐ延びている。
【００４７】
（駆動ユニット３／駆動ギア３１）
駆動ギア３１は、外周に前記スライド体３０のラック部３０ｉにかみ合う歯部３１ｂを備えた円盤状をなすギア部３１ａと、このギア部３１ａの一面側において当該ギア部３１ａのほぼ中央から突き出す中心軸３１ｃとを備えている。
【００４８】
また、かかる駆動ギア３１は、前記ギア部３１ａの他面側のほぼ中央において開口した軸穴３１ｆを有しており、前記ケース３３の底面に突設された軸桿３３ｄを当該軸穴３１ｆに差し入れさせて当該ケース３３に回転可能に支持された構成としてある。
【００４９】
また、かかる駆動ギア３１は、前記スライド体３０の長穴３０ｅに前記中心軸３１ｃを入り込ませた状態で前記歯部３１ｂを当該スライド体３０の長穴３０ｅにおける幅広部分３０ｆの側方に形成されたラック部３０ｉにかみ合わせる構成としてある。
【００５０】
また、この実施の形態にあっては、この駆動ギア３１の中心軸３１ｃにおけるスライド体３０の長穴３０ｅに入り込んだ中間部３１ｄは四角柱状に構成されている。そして、この中間部３１ｄの最大寸法が前記長穴３０ｅの幅広部分３０ｆにおける両穴壁３０ｈ、３０ｈ間の間隔よりも小さく構成されていると共に、この中間部３１ｄにおける対向した両側面３１ｅ、３１ｅ間の寸法が当該長穴３０ｅの幅狭部分３０ｇにおける両穴壁３０ｈ、３０ｈ間の間隔とほぼ等しくなるように構成されている。
【００５１】
この結果、この実施の形態にあっては、かかる駆動ギア３１は、前記長穴３０ｅの幅広部分３０ｆに中間部３１ｄを位置させるスライド体３０の移動位置においては、当該スライド体３０の移動により正逆いずれかの方向に回動可能とされる。一方、前記長穴３０ｅの幅狭部分３０ｇに中間部３１ｄを位置させるスライド体３０の移動位置においては、当該中間部３１ｄの対向した両側面３１ｅ、３１ｅを当該幅狭部分３０ｇの穴壁３０ｈに摺接させることにより、後述の筒状体３２の回動に伴って連れ回りしないようにすることが可能とされる。
【００５２】
この実施の形態にあってはまた、前記スライド体３０の二カ所の長穴３０ｅに対応して二つの駆動ギア３１、３１が設けられている。それぞれの駆動ギア３１の中心軸３１ｃの先端部は平板状に形成されており、この先端部を後述する筒状体３２内において前記フラップ列２を構成する主動フラップ２０の連結軸２７に形成させた割溝２７ａに入り込ませて当該連結軸２７に中心軸３１ｃを連結させる構成としてある。
【００５３】
この実施の形態にあっては、図８に示されるように中心軸３１ｃを長穴３０ｅの幅広部分３０ｆのほぼ中央に位置させた基準位置Ｐからの、同図における左側へのスライド体３０の移動により、同図における左側にある駆動ギア３１が最終的にほぼ４５度時計回りに回動され、この４５度の回動位置で中間部３１ｄの両側面３１ｅ、３１ｅを長穴３０ｅの幅狭部分３０ｇの両穴壁３０ｈ、３０ｈにそれぞれ摺接させるものとしてあると共に、同図における右側にある駆動ギア３１が最終的にほぼ６０度時計回りに回動され、この６０度の回動位置で中間部３１ｄの両側面３１ｅ、３１ｅを長穴３０ｅの幅狭部分３０ｇの両穴壁３０ｈ、３０ｈにそれぞれ摺接させるものとしてある。（図９〜図１１）
【００５４】
また、前記基準位置Ｐからの、図８における右側へのスライド体３０の移動により、同図における左側にある駆動ギア３１が最終的に４５度反時計回りに回動され、この４５度の回動位置で中間部３１ｄの両側面３１ｅ、３１ｅを長穴３０ｅの幅狭部分３０ｇの両穴壁３０ｈ、３０ｈにそれぞれ摺接させるものとしてあると共に、同図における右側にある駆動ギア３１が最終的に４５度反時計回りに回動され、この４５度の回動位置で中間部３１ｄの両側面３１ｅ、３１ｅを長穴３０ｅの幅狭部分３０ｇの両穴壁３０ｈ、３０ｈにそれぞれ摺接させるものとしてある。（図１２、図１３）
【００５５】
この結果、この実施の形態にあっては、前記二つのスイングプレート１に回動可能に設けられたフラップ列２をそれぞれ、前記基準位置Ｐにおいて前記吹き出し口Ｄから吹き出されるエアの流れ（当該エアの吹き出し方向を図７において符号Ｆで示す。）を可変させずに真っ直ぐに吹き出させるようにウイング２３を配するように組み付けておくことにより、（図７（イ））この状態から図７における左側に向けて、同図の左側にあるフラップ列２のウイング２３を最終的にほぼ４５度傾動させることができ、また、同図の右側にあるフラップ列２のウイング２３を最終的にほぼ６０度傾動させることができる。（図７（ニ）〜（ヘ））なお、この実施の形態にあっては、前記長穴３０ｅの図８における右側の穴端がそれぞれスライド体３０における駆動ラック部３０ｄが形成された側と反対の側端部側に向けてやや屈折されており、この屈折された穴端により前記駆動ギア３１の中間部３１ｄを案内することによって図７（ホ）の状態からさらに若干二つのスイングプレート１に設けられたフラップ列２がそれぞれ時計回りの向きに回動される構成としてある。（図７（ヘ））
【００５６】
また、図７における右側に向けて、同図の左側にあるフラップ列２のウイング２３を最終的に４５度傾動させることができ、また、同図の右側にあるフラップ列２のウイング２３を最終的に４５度傾動させることができる。（図７（ロ）、（ハ））
【００５７】
（駆動ユニット３／筒状体３２）
筒状体３２は、外筒部３２ａとこの外筒部３２ａよりも長い内筒部３２ｄとを備えている。両筒部３２ａ、３２ｂは基板部３２ｅの一面に一方の筒端を一体に接合させており、外筒部３２ａの他方の筒端よりも上方に内筒部３２ｄの他方の筒端が位置されるように構成されている。また、かかる基板部３２ｅには内筒部３２ｄの内部空間に連通する穴３２ｆが設けられている。
【００５８】
また、かかる筒状体３２の外筒部３２ａの他方の筒端には、直径方向両側位置に前記基板部３２ｅの側に延びる割溝３２ｂが設けてある。この実施の形態にあっては、前記スイングプレート１の差込部１１の内側に当該筒状体３２の外筒部３２ａが入り込むように構成してあると共に、この差込部１１を構成する一対の弾性突起１１ｂ、１１ｂの内側に形成された前記接合リブ１１ｄがかかる割溝３２ｂにはまり込むように構成してあり、これにより当該筒状体３２と差込部１１とが接合されるものとしてある。すなわち、この実施の形態にあっては、かかる筒状体３２の割溝３２ｂが前記差込部１１に対する接合部３２ｃとされている。
【００５９】
かかる筒状体３２は、前記基板部３２ｅ側から前記内筒部３２ｄ内に、前記スライド体３０の長穴３０ｅに通された前記駆動ギア３１の中心軸３１ｃを差し入れさせることにより、この中心軸３１ｃを中心に回動可能となるように当該スライド体３０における上面３０ｂに基板部３２ｅの他面を接しさせた状態で備えられている。
【００６０】
また、この実施の形態にあっては、かかる筒状体３２には、前記スライド体３０の長穴３０ｅの周囲に形成されたカム溝３０ｊに案内されるピン３２ｇが三つ設けてある。各ピン３２ｇ、３２ｇ…はいずれも前記基板部３２ｅから側方に張り出す突出片３２ｈの先端側であって、前記外筒部３２ａの突き出し側と反対の側に突設されている。
【００６１】
また、かかる筒状体３２の三つのピン３２ｇ、３２ｇ…のうちの二つが、前記スライド体３０の移動により、前記二つの主カム溝３０ｊ、３０ｊにそれぞれ案内され、かつ、残りの一つが前記従カム溝３０ｊに案内される構成としてある。そして、前記スライド体３０の二カ所の長穴３０ｅ、３０ｅ部分のそれぞれにおいて、当該長穴３０ｅの幅広部分３０ｆに前記駆動ギア３１の中心軸３１ｃが位置づけられた当該スライド体３０の基準位置Ｐにおいて、（図８）前記二つの主カム溝３０ｊ、３０ｊにおける長穴３０ｅとの連通側にそれぞれ前記三つのピン３２ｇ、３２ｇ…のうちの二つが個別に入り込み、かつ、当該スライド体３０の前記駆動ラック部３０ｄの形成側の側端部に残りの一つのピン３２ｇが側部を近接させるように、前記三つのピン３２ｇが位置付けられている。
【００６２】
この実施の形態にあっては、図８に示されるように中心軸３１ｃを長穴３０ｅの幅広部分３０ｆのほぼ中央に位置させた基準位置Ｐからの、同図における左側へのスライド体３０の移動により、同図における左側の筒状体３２が同図の右側の主カム溝３０ｊの案内により一旦２８度時計回りに回動された後、そこから半時計回りに最終的には６０度回動され、また、この回動に伴って同図における左側の主カム溝３０ｊに入り込んでいたピン３２ｇが長穴３０ｅの幅広部分３０ｆ内に抜き出されるように当該左側の長穴３０ｅに連通した右側の主カム溝３０ｊが形成してある。また、前記基準位置Ｐからの図８における左側へのスライド体３０の移動により、同図における右側の筒状体３２が同図の右側の主カム溝３０ｊの案内により一旦１８度時計回りに回動された後、そこから半時計回りに最終的には３６度回動され、また、この回動に伴って同図における左側の主カム溝３０ｊに入り込んでいたピン３２ｇが長穴３０ｅの幅広部分３０ｆ内に抜き出されるように当該右側の長穴３０ｅに連通した右側の主カム溝３０ｊが形成してある。（図９〜図１１）
【００６３】
また、中心軸３１ｃを長穴３０ｅの幅広部分３０ｆのほぼ中央に位置させた基準位置Ｐからの、図８における右側へのスライド体３０の移動により、同図における左側の筒状体３２が同図の左側の主カム溝３０ｊの案内により最終的に２８度反時計回りに回動され、また、この回動に伴って同図における右側の主カム溝３０ｊに入り込んでいたピン３２ｇが長穴３０ｅの幅広部分３０ｆ内に抜き出されるように当該左側の長穴３０ｅに連通した左側の主カム溝３０ｊが形成してある。また、前記基準位置Ｐからの図８における右側へのスライド体３０の移動によっては、同図における右側の筒状体３２は回動されないように当該右側の長穴３０ｅに連通した左側の主カム溝３０ｊが形成してある。（図１２、図１３）
この結果、この実施の形態にあっては、前記フラップ列２を備えた二つのスイングプレート１をそれぞれ、このスイングプレート１を前記基準位置Ｐにおいて当該スイングプレート１の長さ方向を吹き出し口Ｄの長さ方向に揃えるように組み付けておくことにより、（図７（イ）／以下、ストレート位置という。）図７の左側にフラップ列２のウイング２３が回動する状態において同図の左側および右側にあるスイングプレート１を時計回りに一旦傾動させた後、（図７（ホ）／以下、スポット位置という。）反時計回りに傾動させることができる。（図７（ヘ）／以下、スーパースポット位置という。）
【００６４】
また、前記フラップ列２を備えた二つのスイングプレート１をそれぞれ、前記ストレート位置から、図７の右側にフラップ列２の羽が回動する状態において同図の左側にあるスイングプレート１を半時計回りに傾動させることができる。（図７（ハ）／以下、スーパーワイド位置という。）
【００６５】
（ルーバ機構／アッセンブリー）
前記駆動ユニット３を構成するケース３３の開口を塞ぐように当該ケース３３に組み付けられる蓋体３４には、このケース３３の細長い収納部３３ａ内に間隔を開けて設けられた、前記駆動ギア３１の中心軸３１ｃの挿通された二つの筒状体３２の突き出される穴３４ａが形成してある。（図２）
【００６６】
吹き出し口Ｄを形成するフレームＭにおける一方の側板Ｍａに開設された二カ所の軸穴Ｍｂ、Ｍｂの下方にそれぞれ筒状体３２が位置されるように当該側板Ｍａの外面側に駆動ユニット３を組み付けると共に、当該吹き出し口Ｄの内側から前記軸穴Ｍｂ内にスイングプレート１の差込部１１を、当該差込部１１が筒状体３２の接合部３２ｃに接合され、かつ、この差込部１１の内側に位置される主動フラップ２０の連結軸２７を駆動ギア３１の中心軸３１ｃに連結させるように、差し入れ組み付けることにより、吹き出し口Ｄを構成する前記フレームＭにルーバ機構を組み付けることができる。
【００６７】
（ルーバ機構／機能）
前記ストレート位置にスイングプレート１がある状態においては、図７（イ）に示されるフラップ列２のウイング２３が吹き出されるエアの向きを可変させない基準位置Ｐから左右にほぼ等しい角度、前記スライド体３０の移動により当該スライド体３０のラック部３０ｉにかみ合う駆動ギア３１を回動させて、スイングプレート１を傾動させることなくウイング２３のみを回動させることができ、吹き出されるエアを左右に案内することができる。（図７（ロ）、図７（ニ））また、図７（ニ）に示されるフラップ列２のウイング２３が左側に回動された状態から、前記スライド体３０をさらに移動させて二つのスイングプレート１、１を前記スポット位置に傾動させることができ、（図７（ホ））また、さらに、前記スーパースポット位置に傾動させることができる。（図７（ヘ））これにより、左側に回動されたフラップ列２のウイング２３により吹き出されるエアを各図における左側に集中的に案内することができる。
【００６８】
また、図７（ロ）に示されるフラップ列２のウイング２３が右側に回動された状態から、前記スライド体３０をさらに移動させて二つのスイングプレート１、１のうちの左側のスイングプレート１を前記スーパーワイド位置に傾動させることができる。（図７（ハ））これにより、右側に回動されたフラップ列２のウイング２３により吹き出されるエアを各図における右側に集中的に案内することができる。
【００６９】
二つのスイングプレート１、１のうち各図における左側にあるスイングプレート１を吹き出し口Ｄの中央側に、各図における右側にあるスイングプレート１を吹き出し口Ｄの端側に位置させておけば、前記スポット位置およびスーパースポット位置において吹き出し口Ｄの中央側に集中的に吹き出されるエアを案内することができる。
【００７０】
また、吹き出し口Ｄを構成するフレームＭに以上に説明したルーバ機構を二以上備えさせれば、吹き出し口Ｄから吹き出されるエアを様々な向きに全体として案内できると共に、吹き出されるエアの一部と他の一部とが異なる向きに吹き出されるようにすることができる。典型的には、吹き出し口Ｄの他方側に以上に説明したルーバ機構と同一の構造を備えると共に、構成各部品を対称に位置させたルーバ機構を設けさせることにより、前記フレームＭに支障なく二つのルーバ機構を設けさせることができる。（図１７）
【００７１】
この実施の形態にかかるルーバ機構によれば、前記スライド体３０に設けるカム溝３０ｊの長さ、形状を変更することにより、前記スイングプレート１の傾動角度、動作を容易に調整することができ、吹き出されるエアの案内の仕方を異ならせるルーバを容易かつ適切に構成することができる。
【００７２】
また、前記スライド体３０の長穴３０ｅの周囲に設けられた向きの異なる二つの主カム溝３０ｊ、３０ｊの一方に案内されるピン３２ｇと当該二つの主カム溝３０ｊ、３０ｊの他方に案内されるピン３２ｇとの二つのピン３２ｇが前記筒状体３２に備えられていることから、一つのピン３２ｇを一つのカム溝３０ｊに案内させて前記スイングプレート１の傾動をさせた場合に比べ、スライド体３０の移動距離を最小限に留めて当該スライド体３０の傾動を行わしむることができる。
【００７３】
【発明の効果】
この発明にかかるルーバ機構によれば、機構の複雑化を招くことなく、吹き出し口から吹き出されるエアを所望の方向に集中的に案内するフラップ列全体の傾動をなすスイングプレートの傾動を、広範なバリエーションを持つように設定することができる。
【図面の簡単な説明】
【図１】ルーバ機構の斜視構成図
【図２】駆動ユニット３の分離斜視構成図
【図３】図２と異なる向きから視た駆動ユニット３の分離斜視構成図
【図４】フラップ列２とスイングプレート１の分離斜視構成図
【図５】フラップ列２の組み付け状態を示す断面構成図
【図６】図５と異なる向きから視たフラップ列２の組み付け状態を示す断面構成図
【図７】フラップ列２とスイングプレート１の動作を示す平面構成図
【図８】スライド体３０と筒状体３２を示した平面構成図（本図（イ））およびスライド体３０と駆動ギア３１を示した平面構成図（本図（ロ））
【図９】スライド体３０と筒状体３２を示した平面構成図（本図（イ））およびスライド体３０と駆動ギア３１を示した平面構成図（本図（ロ））
【図１０】スライド体３０と筒状体３２を示した平面構成図（本図（イ））およびスライド体３０と駆動ギア３１を示した平面構成図（本図（ロ））
【図１１】スライド体３０と筒状体３２を示した平面構成図（本図（イ））およびスライド体３０と駆動ギア３１を示した平面構成図（本図（ロ））
【図１２】スライド体３０と筒状体３２を示した平面構成図（本図（イ））およびスライド体３０と駆動ギア３１を示した平面構成図（本図（ロ））
【図１３】スライド体３０と筒状体３２を示した平面構成図（本図（イ））およびスライド体３０と駆動ギア３１を示した平面構成図（本図（ロ））
【図１４】スライド体３０の平面図
【図１５】スライド体３０の底面図
【図１６】スライド体３０の側面図
【図１７】図１のルーバ機構と対称に構成されたルーバ機構の斜視構成図
【符号の説明】
Ｄ  吹き出し口
Ｍ  フレーム
Ｍｂ  軸穴
１  スイングプレート
１０ａ  連通穴
１１  差込部
２  フラップ列
２０  主動フラップ
２１  従動フラップ
２４  脚部
２５  リンク手段
２７  連結軸
３  駆動ユニット
３０  スライド体
３０ｉ  ラック部
３０ｊ  カム溝
３１  駆動ギア
３１ｃ  中心軸
３２  筒状体
３２ｃ  接合部
３２ｇ  ピン
【図１】
0003919993.tif 000002
【図２】
0003919993.tif 000003
【図３】
0003919993.tif 000004
【図４】
0003919993.tif 000005
【図５】
0003919993.tif 000006
【図６】
0003919993.tif 000007
【図７】
0003919993.tif 000008
【図８】
0003919993.tif 000009
【図９】
0003919993.tif 000010
【図１０】
0003919993.tif 000011
【図１１】
0003919993.tif 000012
【図１２】
0003919993.tif 000013
【図１３】
0003919993.tif 000014
【図１４】
0003919993.tif 000015
【図１５】
0003919993.tif 000016
【図１６】
0003919993.tif 000017
【図１７】
0003919993.tif 000018